【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
インクまたはコーティング組成物であって、
ａ）ビニル樹脂；ビニル樹脂とポリウレタン樹脂とのブレンド；ビニル樹脂と、ポリウレタン樹脂と、芳香族または脂肪族ポリカーボネート骨格を有するアクリル化ポリマーまたはオリゴマーを含むエネルギー硬化性樹脂組成物とのブレンド；ビニル樹脂とポリエステル樹脂とのブレンド；ポリエステル樹脂；コポリエステル樹脂；芳香族または脂肪族ポリカーボネート骨格を有するアクリル化ポリマーまたはオリゴマーを含むエネルギー硬化性樹脂組成物；ポリエステル樹脂と、芳香族または脂肪族ポリカーボネート骨格を有するアクリル化ポリマーまたはオリゴマーを含むエネルギー硬化性樹脂組成物とのブレンド；ビニル樹脂と、ポリエステル樹脂と、芳香族または脂肪族ポリカーボネート骨格を有するアクリル化ポリマーまたはオリゴマーを含むエネルギー硬化性樹脂組成物とのブレンド；脂肪族モノマーを含むカチオン性樹脂；およびカチオン性樹脂と溶媒系樹脂とのブレンド、からなる群より選択されるポリマー樹脂；および
ｂ）導電性金属粉末、を含み、
前記インクまたはコーティングは、熱成形可能な導電性インクまたはコーティングである、インクまたはコーティング組成物。
【請求項２】
前記ポリマー樹脂が、前記インクまたはコーティングの総重量を基準にして、０．５重量％〜５０重量％、１重量％〜２０重量％、又は２重量％〜１０重量％の量で存在する、請求項１に記載のインクまたはコーティング。
【請求項３】
前記導電性金属粉末が、前記インクまたはコーティングの総重量を基準にして、２５重量％〜７５重量％、３０重量％〜７０重量％、４５重量％〜６５重量％、又は４０重量％〜５５重量％の量で存在する、請求項１に記載のインクまたはコーティング。
【請求項４】
前記導電性金属粉末が、銀、銅、金、銀コート銅、バイメタル粉末、黒鉛、カーボンナノチューブ、グラフェン、その他の炭素同素体、その他の金属または金属酸化物、およびこれらのブレンドから選択される、請求項１に記載のインクまたはコーティング。
【請求項５】
前記導電性粉末が、球状の粒子、フレーク、ロッド、ワイヤー、ナノ粒子、またはこれらの組み合わせである、請求項１に記載のインクまたはコーティング。
【請求項６】
前記ビニル樹脂がホモポリマー、コポリマー、またはターポリマーであり、前記ポリウレタン樹脂がホモポリマー、コポリマー、またはポリウレタン樹脂のブレンドであり、および前記ポリエステル樹脂がホモポリマーまたはコポリマーであり、
任意で、前記ビニル樹脂が、ヒドロキシル、カルボキシル、またはエポキシ官能化樹脂であり、任意で、前記ビニル樹脂が、可塑剤をさらに含む、請求項１に記載のインクまたはコーティング。
【請求項７】
前記ビニル樹脂が、３０℃〜１２０℃、若しくは５０℃〜９０℃のガラス転移温度を有し、かつ／又は、前記ポリウレタン樹脂が、−６０℃〜７５℃若しくは−４０℃〜−２０℃のガラス転移温度を有し、かつ／又は、前記ポリエステル樹脂が、３０℃〜８０℃若しくは４０℃〜７０℃のガラス転移温度を有する、請求項１に記載のインクまたはコーティング。
【請求項８】
前記ポリエステル樹脂が、１０，０００〜１００，０００の平均分子量、２〜１０ｍｇＫＯＨ／ｇのヒドロキシル価、および４０℃〜８０℃のガラス転移温度を有する、又は、前記ポリエステル樹脂が、１５，０００〜３６，０００の平均分子量、３〜７ｍｇＫＯＨ／ｇのヒドロキシル価、および４２℃〜７５℃のガラス転移温度を有する、請求項１に記載のインクまたはコーティング。
【請求項９】
エネルギー硬化性モノマーまたはオリゴマーをさらに含み、
前記エネルギー硬化性モノマーまたはオリゴマーが、前記ポリマー樹脂の総重量を基準にして、好ましくは１重量％〜８０重量％、２５重量％〜７５重量％、又は５重量％〜１０重量％の量で存在し、
前記エネルギー硬化性モノマーまたはオリゴマーが、好ましくはポリカーボネート骨格を含むアクリル化ポリウレタンである、請求項１〜８のいずれか１項に記載のインクまたはコーティング。
【請求項１０】
前記ポリマー樹脂が、ビニル樹脂とポリウレタン樹脂とのブレンドであり、
前記ビニル樹脂が前記インクまたはコーティングの総重量を基準にして、０．５重量％〜１５重量％の量で存在し、前記ポリウレタン樹脂が前記インクまたはコーティングの総重量を基準にして、２重量％〜１５重量％の量で存在する、又は、
前記ビニル樹脂が前記インクまたはコーティングの総重量を基準にして、２重量％〜４．５重量％の量で存在し、前記ポリウレタン樹脂が前記インクまたはコーティングの総重量を基準にして、７．５重量％〜１１．５重量％の量で存在する、請求項１に記載のインクまたはコーティング。
【請求項１１】
前記ポリマー樹脂が、ポリエステル樹脂である、又は、前記ポリマー樹脂が、ビニル樹脂とポリエステル樹脂とのブレンドである、請求項１に記載のインクまたはコーティング。
【請求項１２】
前記ポリマー樹脂がビニル樹脂とポリエステル樹脂とのブレンドである場合、前記ビニル樹脂が前記インクまたはコーティングの総重量を基準にして、１重量％〜４０重量％の量で存在し、前記ポリエステル樹脂が前記インクまたはコーティングの総重量を基準にして、０．５重量％〜３０重量％の量で存在する、又は、前記ビニル樹脂が前記インクまたはコーティングの総重量を基準にして、８重量％〜１２重量％の量で存在し、前記ポリエステル樹脂が前記インクまたはコーティングの総重量を基準にして、１重量％〜５重量％の量で存在する、請求項１１に記載のインクまたはコーティング。
【請求項１３】
前記ポリエステル樹脂が、非晶質直鎖ポリエステルである、請求項１１又は１２に記載のインクまたはコーティング。
【請求項１４】
１種または複数の溶媒、分散剤、界面活性剤、その他のレオロジー特性調節剤、光開始剤、アミン相乗剤、安定剤、脱泡剤、脱気剤、ワックス、着色剤、または光学的光沢剤をさらに含み、
前記インク又はコーティングが分散剤を含む場合、好ましくは前記分散剤が前記インクまたはコーティングの総重量を基準にして０．１重量％〜６重量％又は０．２５重量％〜３重量％の量で存在する、請求項１〜１３のいずれか１項に記載のインクまたはコーティング。
【請求項１５】
溶媒系、水系、エネルギー硬化性、ハイブリッド溶媒系／エネルギー硬化性、またはハイブリッド水／エネルギー硬化性導電性インクである、請求項１〜１４のいずれか１項に記載のインクまたはコーティング。
【請求項１６】
射出成形ステップを含む熱成形プロセスに、フレキソ印刷、リソグラフィー、ゼログラフィー、グラビア、スクリーン印刷、インクジェット印刷、パッド印刷、またはスタンピング法に好適する請求項１〜１５のいずれか１項に記載のインクまたはコーティング。
【請求項１７】
印刷積層アレイでの使用に適合性のある一連のインクまたはコーティングであって、グラフィックインクまたはコーティング、請求項１〜１６のいずれか１項に記載の導電性インクまたはコーティング、および誘電体コーティングの内の１種または複数を含む、一連のインクまたはコーティング。
【請求項１８】
ａ）前記グラフィックインクまたはコーティングが、ポリカーボネート骨格を有するエネルギー硬化性アクリル化ポリウレタンを含み、
ｂ）前記導電性インクまたはコーティングが、ポリエステル樹脂、または熱硬化性ポリウレタン樹脂と混合したビニル樹脂、およびポリカーボネート骨格を有するエネルギー硬化性アクリル化ポリウレタンを含み、
ｃ）前記誘電体層が、ポリカーボネート骨格を有するエネルギー硬化性アクリル化ポリウレタンを含む、請求項１７に記載の一連の適合性のあるインクまたはコーティング。
【請求項１９】
機能性エレクトロニクスデバイス、熱成形部品、または熱成形機能性エレクトロニクスデバイスを製造するために使用することができ、好ましくは、前記一連の適合性のあるインクまたはコーティングが、射出成形ステップを含む熱成形プロセスに適している、請求項１７または１８に記載の一連の適合性のあるインクまたはコーティング。
【請求項２０】
積層印刷アレイを含む熱成形可能なプリンテッドエレクトロニクスデバイスであって、前記積層印刷アレイの１つの印刷層が、請求項１〜１６のいずれか一項に記載の熱成形可能な導電性インクまたはコーティングである、熱成形可能なプリンテッドエレクトロニクスデバイス。
【請求項２１】
前記熱成形可能な導電性インクまたはコーティングの印刷層が、下層の印刷されたグラフィック層、及び後続して印刷される機能層と適合性があり、好ましくは、前記後続して印刷される機能層が絶縁層又は誘電体層である、請求項２０に記載の熱成形可能なプリンテッドエレクトロニクスデバイス。
【請求項２２】
グラフィックインクの印刷可能層、請求項１〜１６のいずれか１項に記載の導電性インクまたはコーティングの１つの層、及び任意で誘電体コーティングを含む、請求項２０に記載の熱成形可能なプリンテッドエレクトロニクスデバイス。
【請求項２３】
請求項１７〜１９のいずれか一項に記載の一連の適合性のあるインク若しくはコーティングを使用して形成された；又は、請求項１〜１６のいずれか一項に記載の導電性インク、及び１種若しくは複数のグラフィック印刷インク若しくはコーティング、及び誘電性インク若しくはコーティングを使って、複数機能層を印刷することにより形成され、１つの層が溶媒系熱硬化性のインク若しくはコーティングであり、別の層がエネルギー硬化性インク若しくはコーティングである；又は、請求項１〜１６のいずれか一項に記載の導電性インク、及び１種若しくは複数のグラフィックインク若しくはコーティング、及び誘電性インク若しくはコーティングを使って、複数機能層を印刷することにより形成され、二以上の層がエネルギー硬化性インク若しくはコーティングである、請求項２０〜２２のいずれか一項に記載の熱成形可能なプリンテッドエレクトロニクスデバイス。